(57)【特許請求の範囲】
【請求項１】
ＩＤ情報が記憶されたカードをカードリーダに読み取らせることで、複数のラックの中から読み取った前記ＩＤ情報に関連付けられているラックの扉の電気錠が解錠されるラック管理システムにおいて、
前記カードリーダが読み取った前記ＩＤ情報を基に、解錠対象のラックを判別して解錠制御する解錠制御装置は、前記カードリーダが接続されて所定のグループのラックの解錠を担当する主制御装置と、前記主制御装置から直列に接続されて前記主制御装置が担当しているグループとは異なるラックグループの解錠をそれぞれ担当する複数の副制御装置とを有することを特徴とするラック管理システム。
【請求項２】
個々の前記ラックには、前記扉の開閉を検知する扉センサが設けられ、
前記解錠制御装置は、解錠操作していない扉の前記扉センサが開操作を検知したら、異常発生と判断して異常発生信号を前記カードリーダに送信することを特徴とする請求項１記載のラック管理システム。
【発明の詳細な説明】
【技術分野】
【０００１】
本発明は、ラックの施解錠を管理するラック管理システムに関し、詳しくはサーバや通信機器を収納した複数のラックが収容されたデータセンタ等において、個々のラックの解錠／施錠を管理するラック管理システムに関する。
【背景技術】
【０００２】
データセンタではサーバが収納された複数のサーバが列設され、セキュリティのため個々のラックは施錠されている。そのため、メンテナンスの際はラックを解錠することになるが、セキュリティを維持するために、個々のラックの解錠／施錠は管理装置等で一括管理され、施錠忘れ等を防止している。
例えば特許文献１では、ラック毎に制御監視装置を設けてラックに設けられた電気錠の施解錠を管理し、更にこの情報は管理装置に送信されて一括してモニタ可能としていた。
【先行技術文献】
【特許文献】
【０００３】
【特許文献１】特開２００２−３１９０８２号公報
【発明の概要】
【発明が解決しようとする課題】
【０００４】
上述したようにラックには電気錠が設けられており、この解錠は例えばＩＣカードをカードリーダに翳すことで解錠された。このように、１箇所に設けたカードリーダにＩＣカードを読ませるシステムの場合、カードリーダから各ラックに対して施解錠のための接続線が配設された。
この接続線は、列設されているラック間では比較的スムーズに配設できたが、通路を跨いで隣接するラック列の解錠／施錠も可能とする場合は、カードリーダから電気錠までの接続線がラックの数だけ床下等を横切って配設することになるため、配線作業が面倒であった。
【０００５】
このようにラック列を跨ぐ配線は、カードリーダをラック列毎に設置すれば削減できるが、その場合はカードリーダ毎にＩＣカードのラック扉の施解錠権限を割り振る設定を行う必要があり、設定作業が面倒であった。さらに、ラック列が異なる複数のラックの解錠を行う場合は、ラック列が異なる度にＩＣカードをカードリーダに翳す解錠操作が必要となる問題があった。
【０００６】
そこで、本発明はこのような問題点に鑑み、カードリーダを増やすことなく簡易な配線作業で複数のラック列に対してラックの電気錠を解錠できるラック管理システムを提供することを目的としている。
【課題を解決するための手段】
【０００７】
上記課題を解決する為に、請求項１の発明は、ＩＤ情報が記憶されたカードをカードリーダに読み取らせることで、複数のラックの中から読み取ったＩＤ情報に関連付けられているラックの扉の電気錠が解錠されるラック管理システムにおいて、カードリーダが読み取ったＩＤ情報を基に、解錠対象のラックを判別して解錠制御する解錠制御装置は、カードリーダが接続されて所定のグループのラックの解錠を担当する主制御装置と、主制御装置から直列に接続されて主制御装置が担当しているグループとは異なるラックグループの解錠をそれぞれ担当する複数の副制御装置とを有することを特徴とする。
この構成によれば、多数のラックが設置されて１台のカードリーダに対して解錠制御装置が正副存在しても、カードリーダが接続されるのは主制御装置のみで済むため、配線が複雑になることがない。また、ラック列毎にラックグループを構成すれば、主制御装置と副制御装置とにそれぞれ異なるラック列を担当させることができ、カードリーダを増やさなくてもラック列間の配線は１ラインで済む。
加えて、副制御装置を増設しても、主制御装置に接続される副制御装置は１台で済むし、副制御装置同士も直列に接続されるため配線が複雑になることがなく、ラック列が多数存在してもラック列間の配線は１ラインで済む。
【０００８】
請求項２の発明は、請求項１に記載の構成において、個々のラックには、扉の開閉を検知する扉センサが設けられ、解錠制御装置は、解錠操作していない扉の扉センサが開操作を検知したら、異常発生と判断して異常発生信号をカードリーダに送信することを特徴とする。
この構成によれば、扉のこじ開けを検知して通報することができる。そのため、カードリーダに発報機能或いは外部への通報機能を設ければ、不正行為に速やかに対応できる。
【発明の効果】
【００１０】
本発明によれば、多数のラックが設置されて１台のカードリーダに対して解錠制御装置が正副の２台存在しても、カードリーダが接続されるのは主制御装置のみで済むため、配線が複雑になることがない。また、ラック列毎にラックグループを構成すれば、主制御装置と副制御装置とをそれぞれ異なるラック列を担当させることができ、カードリーダを増やさなくてもラック列間の配線は１ラインで済む。
【図面の簡単な説明】
【００１１】
【図１】本発明に係るラック管理システムの一例を示しブロック図である。
【図２】ラック列と解錠制御装置の関係を示す説明図である。
【発明を実施するための形態】
【００１２】
以下、本発明を具体化した実施の形態を、図面を参照して詳細に説明する。図１は本発明に係るラック管理システムの一例を示す構成図であり、一部回路ブロック図で示している。１はＩＤ情報が記憶されたカード（図示せず）からＩＤ情報を読み取るカードリーダ、２はラック（図示せず）を解錠操作する解錠制御装置、３は解錠対象のラックの電気錠、４はラックの扉の開閉を検知する扉センサである。解錠制御装置２は、カードリーダ１が接続される主制御装置２ａと、主制御装置２ａから直列に接続される副制御装置２ｂとの２種類で構成されている。
【００１３】
カードリーダ１と主制御装置２ａとは第１通信ケーブルＬ１で接続され、主制御装置２ａと副制御装置２ｂ、及び副制御装置２ｂ同士は第２通信ケーブルＬ２で接続され、主制御装置２ａから末端の副制御装置２ｂまで、全ての解錠制御装置２は直列に接続されている。また、カードはＩＣカード或いは磁気カードが使用される。
【００１４】
主制御装置２ａは、カードリーダ１と通信するための第１ＩＦ２１、副制御装置２ｂと通信するための第２ＩＦ２２、カードに登録したＩＤと電気錠３の関連付けを記憶するメモリ２３、電気錠３及び電気錠３と対を成す扉センサ４の組が複数接続される電気錠・センサ端子２４、主制御装置２全体を制御する主制御装置ＣＰＵ２５ａ等を備えている。
第１ＩＦ２１は、例えばＲＳ２３２Ｃドライバを備えて構成され、その場合は第１通信ケーブルＬ１としてＲＳ２３２Ｃケーブルが使用される。また第２ＩＦ２２は、例えばＲＳ４８５ドライバを備えて構成され、その場合は第２通信ケーブルＬ２としてＲＳ４８５ケーブルが使用される。
また、電気錠・センサ端子２４は、例えば４０の対を成す電気錠３及び扉センサ４を接続可能に構成され、１台の解錠制御装置２が最大４０台のラックの解錠を担当可能に構成されている。
【００１５】
副制御装置２ｂは、主制御装置２ａ或いは副制御装置２ｂと通信するための第３ＩＦ２６を備える以外は、主制御装置２ａと共通する構成を備え、カードに登録したＩＤと電気錠３の関連付けを記憶するメモリ２３、電気錠３及び電気錠３と対を成す扉センサ４の組が複数接続される電気錠・センサ端子２４、副制御装置２ｂ全体を制御する副制御装置ＣＰＵ２５ｂ等を備えている。第３ＩＦ２６は第２ＩＦ２２と同一の通信形態が適用され、例えばＲＳ４８５ドライバを備えている。
尚、それぞれのメモリ２３には、解錠制御装置２が解錠操作を担当するグループのラックに関連付けられているＩＤ情報が記憶されている。
【００１６】
図２はラック列と解錠制御装置２の関係を示している。Ｐはラック列（第１列Ｐ１〜第ｎ列Ｐｎ）であり、ラック５を直線状に列設した列が複数形成された状態を示している。例えば、データセンタに設置されたラック５の状態を示している。
このようなラック列Ｐに対して、第１列Ｐ１にカードリーダ１と主制御装置２ａが列の端部に配置され、第２列Ｐ２及びそれ以降の各列にそれぞれ副制御装置２ｂが同様に端部に配置されている。
ここでは、解錠制御装置２が解錠を担当するグループＧは１つのラック列Ｐ全体であり、主制御装置２ａが担当する第１グループＧ１は第１列Ｐ１全体である。また第２列Ｐ２は主制御装置２ａに接続された副制御装置２ｂが担当する第２グループＧ２となっている。そして、順次直列接続された副制御装置２ｂが１つのラック列Ｐを担当している。
尚、主制御装置２ａと副制御装置２ｂとの接続、及び副制御装置２ｂ同士の接続が第２通信ケーブルＬ２により成されている。
【００１７】
このように構成されたラック管理システムの動作は以下の様である。解錠操作するカードがＩＣカードであれば、カードリーダ１に翳すとカードのＩＤがカードリーダ１に読み取られ、読み取ったＩＤ情報が主制御装置２ａに送信される。ＩＤ情報を受信した主制御装置２ａは、ＩＤ情報を副制御装置２ｂに送信し、接続されている全ての解錠制御装置２にＩＤ情報が送信される。
【００１８】
このＩＤ情報を受けて、主制御装置２ａ及び全ての副制御装置２ｂは、自身のメモリ２３が記憶しているＩＤ情報と照合して、一致するＩＤがあったら、そのＩＤに関連付けられているラック５に解錠信号を出力し、電気錠３を解錠させる。例えば、図２に示す第２列Ｐ２（第２グループＧ２）の５番目のラック５ａのＩＤが一致したら、第２列Ｐ２を担当している副制御装置２ｂが５番目のラック５ａの電気錠３を解錠させる。
尚、施錠は解錠信号を出力してから一定時間が経過しても開扉されなければ自動で施錠されるし、一度開扉した扉が閉じられたら自動で施錠操作される。
【００１９】
次に、扉センサ４が開扉を検知した場合の動作は以下の様である。扉センサ４から開扉信号を受信した解錠制御装置２は、解錠信号送信先のラック５から受信した開扉信号であれば、カードリーダ１に送信することなく閉扉操作を待ち、閉扉されたら施錠信号を出力して施錠する。
一方、開扉信号を送信した扉センサ４が、解錠信号を送信していないラック５からであったら、解錠制御装置２はこじ開けられたと判断して異常発生信号をカードリーダ１に送信する。同時に自身に設けられている発報部（図示せず）を発報動作させる。
尚、主制御装置２ａの上記動作は主制御装置ＣＰＵ２５ａの制御により実施されるし、副制御装置２ｂの上記動作は副制御装置ＣＰＵ２５ｂの制御により実施される。
【００２０】
異常発生信号を受信したカードリーダ１は、自身が備えている発報部（図示せず）を発報動作させると共に、接続されている外部機器（図示せず）に対して異常発生信号を送信する。
【００２１】
このように、多数のラックが設置されて１台のカードリーダ１に対して解錠制御装置２が正副の２台存在しても、カードリーダ１が接続されるのは主制御装置２ａのみで済むため、配線が複雑になることがない。また、ラック列Ｐ毎にラックグループを構成すれば、主制御装置２ａと副制御装置２ｂとにそれぞれ異なるラック列Ｐを担当させることができ、カードリーダ１を増やさなくてもラック列Ｐ間の配線は１ラインで済む。
更に、ラック扉がこじ開けられたらそれを検知して通報することができるため、カードリーダ１に発報機能或いは外部への通報機能を設ければ、不正行為に速やかに対応できる。
また、副制御装置２ｂを増設しても、主制御装置２ａに接続される副制御装置２ｂは１台で済むし、副制御装置２ｂ同士も直列に接続されるため配線が複雑になることがない。そのため、ラック列Ｐが多数存在してもそれぞれの列を１グループとして解錠制御装置２に担当させればラック列Ｐ間の配線は１ラインで済む。
【００２２】
尚、上記実施形態では１つのラック列Ｐを１グループとして解錠制御装置２を１台設けたが、１つのラック列を２グループ等複数のグループに分けて複数の解錠制御装置２に担当させても良く、この場合もラック列間の配線は１ラインで済む。
また、ラック５は扉が１枚として説明したが、前面及び背面の双方に扉が設けられていラックの場合は、１つの解錠信号で両側の電気錠を解錠操作すれば良い。
【符号の説明】
【００２３】
１・・カードリーダ、２・・解錠制御装置、２ａ・・主制御装置（解錠制御装置）、２ｂ・・副制御装置（解錠制御装置）３・・電気錠、４・・扉センサ、５・・ラック。
【図１】
0006558942.tif 000002
【図２】
0006558942.tif 000003